(57)【要約】【課題】  バリア開閉両方を位置検出しようとすると２つ以上の位置検出部材が必要となりバリアが大型化することを課題とする。【解決手段】  カメラ前面外装板に沿って被写体像を形成する撮影レンズを有する鏡筒と該鏡筒を覆う閉位置と鏡筒が露出する開位置とに移動するバリアと該バリアが開状態であることを検出する第１検出手段および前記バリアが閉状態であることを検出する第２検出手段を有するカメラにおいて、前記バリアと連動し、前記バリアと非連動の時は中立位置を保持するバリア開閉検出部材を有し、前記バリアが全閉またはその近傍にある時、前記バリア開閉検出部材の移動を前記第２検出手段により検出し、また前記バリアが全開またはその近傍にある時、前記バリア開閉検出部材の移動を前記第１検出手段により検出するように構成され、前記バリアの全移動量の中で前記バリア開閉検出部材が前記バリアと連動を行わない区間を有することを特徴とする。【選択図】  図３
2005338477.tif 000002
【特許請求の範囲】
【請求項１】
カメラ前面外装板に沿って被写体像を形成する撮影レンズを有する鏡筒と該鏡筒を覆う閉位置と鏡筒が露出する開位置とに移動するバリアと該バリアが開状態であることを検出する第１検出手段および前記バリアが閉状態であることを検出する第２検出手段を有するカメラにおいて、前記バリアと連動し、前記バリアと非連動の時は中立位置を保持するバリア開閉検出部材を有し、前記バリアが全閉またはその近傍にある時、前記バリア開閉検出部材の移動を前記第２検出手段により検出し、また前記バリアが全開またはその近傍にある時、前記バリア開閉検出部材の移動を前記第１検出手段により検出するように構成され、前記バリアの全移動量の中で前記バリア開閉検出部材が前記バリアと連動を行わない区間を有することを特徴とするバリア位置検出装置。
【請求項２】
前記バリア位置検出機構を搭載したカメラにおいて、撮影者がバリアを開き始めた時、前記第２検出手段の出力により前記鏡筒の動作以外の、カメラを撮影可能状態にするための初期化動作を開始し、また前記第１検出手段の出力によりバリアが開状態になったことを検出することにより前記鏡筒を撮影可能位置へ移動させることを特徴とする請求項第１項に記載のバリア位置検出装置。
【請求項３】
前記バリア開閉検出部材は前記バリアに設けられた前記バリア開閉方向に移動させる手段により、前記バリアが全開、または全閉、あるいはその近傍時以外は前記バリア開閉検出部材の移動を伴わないことを特長とする請求項第１項および請求項第２項に記載のバリア位置検出装置。
【請求項４】
前記バリアの開閉検出を行う少なくとも二つの検出スイッチはプリント配線の表裏に実装され、バリア移動平面とは直交する方向に積層されて配置されていることを特長とする請求項第１項および請求項第２項に記載のバリア位置検出装置。
【発明の詳細な説明】
【技術分野】
【０００１】
本発明はカメラ等の光学機器の前面を保護するバリアを有したバリア位置検出装置に関する。
【背景技術】
【０００２】
レンズ非交換型カメラ等の光学機器においては非使用時に該光学機器の前面を保護するためにスライドバリア機構を装備しているものがある。同バリア機構を装備しているカメラの場合、バリア開を検出した時は電源をオンにすると共に鏡筒を撮影可能位置まで移動させ、また同バリアが閉じ始められたことを検出した時は繰り出された鏡筒を沈動させる必要があるためバリア開閉を検出するためのレバーをバリアとカメラ本体の間に設け同レバーでスイッチを作動させるものがあった。また起動時間が短くするためにはバリア開状態の検出だけでなくバリア開け始め、つまりバリア閉状態を検出するためのスイッチも合わせて設置する必要があったがバリア開、およびバリア閉それぞれの位置に合わせ設置することはカメラ本体を小型化する上で不利であった。
【０００３】
図１及び図２は従来のスライドバリア機構を備えたカメラにおけるバリア開閉検出スイッチの設置方法の一例である。図１においてスライドバリア２に設置されたレバー部２ａが図２におけるバリア開閉検出スイッチ４を操作することにより、バリア開検出時カメラの電源オンにし、鏡筒１ｂを撮影可能位置に移動させ、また前記検出スイッチ５がバリア閉じ始めを検出した時は鏡筒１ｂを沈動させカメラを電源オフにする。また、撮影者がバリアを開け始めた時に同レバー２ａが検出スイッチ４から離れることを検出し、カメラの初期化動作を開始する（例えば、特許文献１）。
【特許文献１】特開２００４−６２０６７
【発明の開示】
【発明が解決しようとする課題】
【０００４】
カメラの起動時間を短縮させるためにはバリア開だけでなくバリア閉も同時に検出することが重要であるがバリア内において２つ以上の位置検出機構を設けることはスペース的に困難であり、部品が増えてしまうことがあった。また検出用スイッチをバリア開位置、閉位置に合わせ配置することは基板構成が複雑になり小型化する上で不利であった。
【課題を解決するための手段】
【０００５】
前記課題を解決するために本発明では、カメラ前面外装板に沿って被写体像を形成する撮影レンズを有する鏡筒と該鏡筒を覆う閉位置と鏡筒が露出する開位置とに移動するバリアと該バリアが開状態であることを検出する第１検出手段および前記バリアが閉状態であることを検出する第２検出手段を有するカメラにおいて、前記バリアと連動し、前記バリアと非連動の時は中立位置を保持するバリア開閉検出部材を有し、前記バリアが全閉またはその近傍にある時、前記バリア開閉検出部材の移動を前記第２検出手段により検出し、また前記バリアが全開またはその近傍にある時、前記バリア開閉検出部材の移動を前記第１検出手段により検出するように構成され、前記バリアの全移動量の中で前記バリア開閉検出部材が前記バリアと連動を行わない区間を有することを特徴とするバリア位置検出装置を提供する。
【発明の効果】
【０００６】
以上説明したように、本発明のバリア位置検出装置では移動量の大きいバリア機構であっても少ないスペースでバリア開閉両方の位置検出が可能であり、また同時に基板面積を犠牲にすることなく複数の検出スイッチが設置可能であり、また同時に部品点数も抑えることが可能である。
【発明を実施するための最良の形態】
【０００７】
図３は本発明のバリア位置検出手段の実施例である。同図において基板上に設けられた２３ａおよび２３ｂはそれぞれバリア開、閉両方を検出するためのスイッチでありバリア位置検出部材２０がバリア全開、全閉およびその近傍において、後で説明するスライドバリア機構のバリアインナー１０に設けられた溝１０ｅの両端部分で該検出部材２０が押されバリア開閉方向に移動することにより、バリア開時２０ｂ部がスイッチ２３ａを押下し、逆にバリア閉時は２０ｃ部が２３ｂを押下することによりそれぞれバリアの位置検出が可能となっている。また２つの検出スイッチ２３ａおよび２３ｂは１枚のプリント配線上裏表に実装されており、略同一上、カメラの縦方向に並んでいる。図３はバリアが移動中の時の位置、つまり検出部材２０が中立位置にある状態を示した図であり同部材はバリアインナー１０の溝１０ｅによって片側に押されていない時はコイルスプリング１９の作用により図３の位置にくるように付勢されている。
【０００８】
次に図４〜図１０を参照して本発明のスライドバリア機構の実施例について説明する。
【０００９】
図４において７はカメラ外装板８の前面を左右方向に移動可能なバリアであり、バリア７は図５のように外装カバー９ａ、９ｂとインナー部材１０により構成され固着されている。バリアインナー１０の背面、上下にはバリア７の移動方向と平行に延在するラック１０ａ、１０ｂが形成されているとともに、それぞれのラックに隣接した位置には非移動回転案内部材１３の軸穴を通る軸１２ｃに係合するピニオンギア１２ａ、１２ｂと相対するリブ１０ｄが形成されている。また２つのリブ１０ｄの間には凹１０ｃがあり、前記非移動回転案内部材１３が板部材１１との間で挟まれ該バリア７の移動方向と平行に摺動することができるように形成されている。
【００１０】
１４は外装板８の裏面に固着される保持部材であり、前記保持部材１３は前記非移動回転案内部材１３を介して前記バリア７を相対摺動可能に保持する機能を有するとともに前記バリア移動方向と平行に移動可能なバリア開閉検出部材２０を間接的に保持する機能を持つ。
【００１１】
前記保持部材１３は前記板部材１１を抱え込む形で形成され外装板８に固定された前記保持部材１４に１３ａ部分に設けられたビス穴において締結され、１３ｂ部分に開けられた軸穴をピニオンギア１２ａ、１２ｂを係合した前記軸１２ｃが貫通し、回転可能に保持する機能を持つ。また前記保持部材１４の中央部には図６で示す前記板部材１１に設けられた凹状のレール１１ａと相対した位置に前記バリア７の開閉時にクリック感を発生するためのボール２１とボールを前記板部材１１の方向に押し付けるために挿入されたバネ２２が入るためのガイド筒１４ａが開けられており、前記バリア７の開閉時、前記ボール２１が前記板部材１１に設けられた２箇所の穴１１ｂ（図示しない）に落ち込む事によりボール２１が前記保持部材１４の軸穴１４ａを移動しクリック力を発生させることができる。
【００１２】
前記保持部材１４の上下にはそれぞれ前記インナー部材１０の上下に設けられた窪み１０ｃ部分に相対した位置にフック１４ｂが設けられ、前記インナー部材１０には前記バリア７が開前記時、前記インナー部材の窪み１０ｃ内のリブ１０ｇが前記フック１４ｂと当接することにより前記バリア７が浮き上がることを防止するとともに、バリアを引き剥がす方向に外部から力が加わっても前記バリア開閉検出部材２０が前記インナー部材１０のレール部分１０ｃから外れることによりバリア開閉の検出が出来なくなることことはない。また成形時のそりによって前記バリア開閉検出部材２０がレール１０ｅから外れることもない上、後述するバリアのロック部材１５がロック位置から外れ、鏡筒とぶつかることを防止できるようにしている。またラックとピニオンギアを使用したバリアの場合カメラ正面から見たときの回転方向、つまりバリアの端に近い部分を側面から押されるとバリアに回転モーメントが働き、シャフト１２ｃで連結された上下のピニオンギア１２ａ、１２ｂには逆位相の力が働き、その力に負けてバリアが浮き上がることにより上下の位相がずれる、歯飛びを起こすことを防止するため上下のフック１４ｂにより回転方向の力が加わってもバリアが逃げることなく歯飛びが起こらない構造となっている。
【００１３】
前記バリア開閉検出部材２０は前記保持部材１４の上部の凹部に挿入され板部材１７により抜け落ちない構造となっている。前記バリア開閉検出部材２０はバリア移動方向のみ自由に摺動可能であり中央部の窪みにバネ１９が入り、前記保持部材１４に設けられた２本のリブ１４ｂにより常に中立位置にくるようにバネが働く構造となっている。前記バリア開閉検出部材２０から伸びたガイドリブ２０ａが図９のようにインナー部材１０に設けられたガイドレール１０ｅにより開閉時押されることにより該バリア開閉検出部材２０が移動しバリア開閉検出スイッチ２３が押し込まれ、バリアの開閉を検知することが可能になっている。図３で示した２３ａはバリア開状態を検出するための第１検出スイッチでありバリア全開位置から手前２ｍｍのところからバリアと連動し、前記バリア開閉検出部材２０の端面２０ｂによりスイッチが押し込まれる構造となっている。第１検出スイッチ２３ａはバリアが全開位置に移動したことと、撮影者がバリアを閉じ始めたことを検出することが出来、バリアが全開位置に来たことを検出した時、該鏡筒を撮影可能位置まで繰り出し、また閉じ始めを検出した時は該バリアと該鏡筒が接触することを防止するため該鏡筒を沈動位置まで移動させる。第２検出スイッチ２３ｂは前記バリアが全閉状態であることを検出し、撮影者が前記バリアを操作し、開け始めたことを検出するとカメラを電源オンにし、初期化動作を開始できるようになっている。本発明においては前記第２検出スイッチも同じ前記バリア開閉検出部材２０をもって行い、前記検出部材２０の端面２０ｃが前記第２検出スイッチ２３ｂを押し込むことによりバリア開を検出可能としている。バリア開検出時も同様に全開位置から２ｍｍの範囲でのみバリアと連動する構造となっているため従来例にあるように検出スイッチ４、５を離れて配置する必要がなく外装カバーに露出することなく少ないスペースの中で開、閉両方を検出可能としている。また、本発明においては第１、および第２の検出スイッチ２３ａ，２３ｂを図３で示したように基板上裏表に実装しており省スペース化を実現している。
【００１４】
図７は前記保持部材１４を裏から見た図であり上部に前記バリア開閉検出部材２０が入るためのガイド形状１４ｄがあり、その下には前記バリアロック部材１５が入るための窪み１４ｅが設けられている。該バリアロック部材１５は前記板部材１７により抜け落ちないように蓋をされ、バリア移動方向に対し直交する方向に移動可能に保持される。また、該バリアロック部材１５はコイルスプリング１６により常に下方向に付勢されており、それぞれスプリングを固定するためのリブ１５ｃおよびボス１４ｆが設けられている。前記バリアロック部材１５の上下には鏡筒が繰り出し状態の時にバリア７が不用意に閉じられてバリアが鏡筒を傷つけることのないように前記バリアロック部材１５からインナー部材１０に設けられたガイド部１０ｆに入り込むためのリブ１５ａが伸びており、前記スプリング１６により下側に移動したリブ１５ａが該インナー部材１０の段差部分に引っかかることによりバリア７がロックされる構造となっている。図示しないが鏡筒が繰り出し状態ではない時は鏡筒のカムリングの一部が該バリアロック部材１５のアーム１５ｂを上方向に押し上げる構造となっておりバリア７は自由に移動することができる。またバリア７をカメラ正面側から押圧されてもインナー部材１０の上下に設けられた摺動テープ１９によりバリア７がカメラ外装とこすれ前面カバー８に傷がつくのを防止している。
【図面の簡単な説明】
【００１５】
【図１】本発明の従来例となるバリア位置検出手段の外観図
【図２】本発明の従来例となるバリア位置検出手段の詳細図
【図３】本発明の実施例となるバリア位置検出手段の詳細図
【図４】本発明の実施例となるスライドバリア機構を有するカメラの正面図（バリア開）
【図５】本発明の実施例となるスライドバリア機構を有するカメラの分解図
【図６】本発明の実施例となるスライドバリア機構のインナー部材詳細図
【図７】本発明の実施例となるスライドバリア機構の保持部材分解図
【図８】本発明の実施例となるスライドバリア機構の断面図
【図９】本発明の実施例となるスライドバリア開閉検出機構の断面図
【図１０】本発明の実施例となるスライドバリア機構を有するカメラの外観図（バリア閉）
【符号の説明】
【００１６】
１０  バリアインナ
１９  コイルスプリング
２０  バリア位置検出部材
２３ａ、２３ｂ  スイッチ
【図１】
2005338477.tif 000003
【図２】
2005338477.tif 000004
【図３】
2005338477.tif 000005
【図４】
2005338477.tif 000006
【図５】
2005338477.tif 000007
【図６】
2005338477.tif 000008
【図７】
2005338477.tif 000009
【図８】
2005338477.tif 000010
【図９】
2005338477.tif 000011
【図１０】
2005338477.tif 000012